(57)【要約】【課題】小型化と、光ファイバ心線の取り扱い作業の効率向上を実現できる光ケーブル接続用クロージャ及びその使用方法及び心線余長収納体を提供する。【解決手段】光ファイバ心線の余長５を収納する心線余長収納体２を面状であり、且つ変形可能に形成し、光ファイバ心線の余長５を収納した状態の心線余長収納体２を立体形状に変形させてクロージャ筐体１に収容する構成とした。【選択図】図１
2007218935.tif 000002
【特許請求の範囲】
【請求項１】
光ファイバ心線の余長を収納する心線余長収納体であって、前記光ファイバ心線の接続部を収納する心線接続部収納手段を備え、面状であり、且つ変形可能に形成されることを特徴とする心線余長収納体。
【請求項２】
光ファイバ心線の余長を収納する心線余長収納体であって、線状又は面状であり、且つ変形可能に形成されることを特徴とする心線余長収納体。
【請求項３】
請求項１又は請求項２記載の心線余長収納体であって、予め立体形状を記憶させた形状記憶部材からなることを特徴とする心線余長収納体。
【請求項４】
請求項１又は請求項３記載の心線接続部収納手段を備えた心線余長収納体であって、前記接続部収納手段として、前記光ファイバ心線の接続部が間に挟持固定されるリブを備えたことを特徴とする心線余長収納体。
【請求項５】
請求項１乃至請求項４のいずれかに記載の面状の心線余長収納体であって、長円状に配置され、一端が固定されて他端が変形可能に形成され、各々前記光ファイバ心線を係止可能である複数の心線押え片を備えたことを特徴とする心線余長収納体。
【請求項６】
請求項３記載の線状の心線余長収納体であって、前記光ファイバ心線を内部へ挿入できるチューブ形状であり、予め前記立体形状である螺旋形状を記憶させた形状記憶部材からなることを特徴とする心線余長収納体。
【請求項７】
請求項１乃至請求項６のいずれかに記載の心線余長収納体と、前記心線余長収納体を収容するクロージャ筐体とを有する光ケーブル接続用クロージャであって、前記心線余長収納体又は前記クロージャ筐体が前記心線接続部収納手段を具備し、前記クロージャ筐体が、前記光ファイバ心線の余長を収納して前記立体形状に変形させた前記心線余長収納体を収容することを特徴とする光ケーブル接続用クロージャ。
【請求項８】
請求項５記載の心線余長収納体と、前記心線余長収納体を収容するクロージャ筐体とを有し、前記心線余長収納体又は前記クロージャ筐体が前記心線接続部収納手段を具備し、前記クロージャ筐体が、前記光ファイバ心線の余長を収納して前記立体形状に変形した前記心線余長収納体を収容する光ケーブル接続用クロージャを使用する方法であって、前記心線押え片の前記他端を変形させて下方に前記光ファイバ心線を挿入し、前記心線余長収納部の本体と前記心線押え片とにより前記光ファイバ心線を挟むことで前記心線余長収納部に楕円状に前記光ファイバ心線を係止した後、巻く、折り曲げる又は予め記憶させた形状に変化させることで前記立体形状に変形させた前記心線余長収納体を、前記クロージャ筐体に収容することを特徴とする光ケーブル接続用クロージャの使用方法。
【請求項９】
請求項６記載の心線余長収納体と、前記心線余長収納体を収容するクロージャ筐体とを有し、前記クロージャ筐体が、前記心線接続部収納手段を具備し、前記光ファイバ心線の余長を収納して前記立体形状に変形した前記心線余長収納体を収容する光ケーブル接続用クロージャを使用する方法であって、前記心線余長収納体に前記光ファイバ心線の余長を通線した後、予め記憶させた前記立体形状に変形させた前記心線余長収納体を、前記クロージャ筐体に収容することを特徴とする光ケーブル接続用クロージャの使用方法。
【発明の詳細な説明】
【技術分野】
【０００１】
本発明は、光ケーブルの分岐、引込み、接続等を行う光ケーブル接続用クロージャ及びその使用方法、及び光ケーブル接続用クロージャにおいて光ファイバ心線の余長を収納する心線余長収納体に関する。
【背景技術】
【０００２】
光ケーブルの分岐、引込み、接続などを行う場合、例えば、特許文献１に示すクロージャを使用する。そして、クロージャ筐体内に設置される心線接続収納ケースにおいて、光ファイバ心線を接続し、光ファイバ心線の余長を収納し保護する。心線接続収納ケースは心線トレイからなり、心線トレイ本体に心線を導出入する心線導出入部と、その心線導出入部から導出入させる幹線用光ケーブルから引き出された光ファイバ心線同士、あるいは幹線用光ケーブルから引き出された光ファイバ心線と分岐用光ケーブルから引き出された心線とを接続するコネクタ等の接続部が収納される接続収納部と、さらに接続された心線の余長部分を巻回して保護収納する心線余長収納体を備えたものが知られている。
【０００３】
図９に従来の光ケーブル接続用クロージャの断面模式図を示す。図９に示すように、クロージャ筐体０１内に心線余長収納体として複数枚の収納トレイ０２が多段に積み重ねられた状態で設置されている。各収納トレイ０２は、ヒンジピン０３とピン軸受け部０４とによりクロージャ筐体０１内に回動自在に連結されている。
【０００４】
従来の光ファイバは、コアとクラッドの材料による屈折率差のみで光を閉じ込める構造であり、光ファイバの曲げ半径を小さくすると曲げによる放射損失が増大するため、曲げ半径の限界値を３０ｍｍ程度として利用していた。従って、心線余長収納体においても、光ファイバの曲率半径を確保して収納する構造となっていた。
【０００５】
一方、特許文献２には従来の光ファイバの曲げ半径の限界値にくらべて、曲げ半径を小さくできる光ファイバとしてホーリー光ファイバが開示されている。ホーリー光ファイバは、コア周囲のクラッド部に空孔を存在させることでクラッドの実効的な屈折率を下げて、コアとクラッド間の屈曲率差を大きくして、曲げによる放射損失の増加を抑える光ファイバである。ホーリー光ファイバは、曲げや捻りへの耐性が大きいため、従来の光ファイバでは成し得ない径で光ファイバを曲げることができる。
【０００６】
【特許文献１】特開２０００−１２１８４０号公報
【特許文献２】特開２００５−１７６５０号公報
【発明の開示】
【発明が解決しようとする課題】
【０００７】
光ケーブルの高密度化、多心化が進むにつれて、光ケーブル接続用クロージャにおける心線収容数も増大する。これに伴い、図９に示したような光ケーブル接続用クロージャにおいて、クロージャ筐体０１内で心線余長収納体である収納トレイ０２が占めるスペースは大きくなる。
【０００８】
心線余長収納体は、光ファイバの曲率半径を確保した上で光ファイバを取り回す必要があるため、従来の光ファイバを使用する場合は小型化することが難しかった。一方、ホーリー光ファイバを光ケーブル接続用クロージャで使用する場合、光ファイバの曲げ半径を小さくできるため、従来の心線余長収納体を小型化することができる。
【０００９】
しかしながら、小型化するだけでは、１周で巻ける光ファイバ心線の長さが短くなるため、一定の長さの光ファイバを収納する作業時間が増大する。また、小型化した収納部へ光ファイバを取り回して収納する作業は難しく、作業効率が低下するという虞がある。そこで、ホーリー光ファイバの曲げに対する特性を活かした、光ケーブル接続用クロージャの小型化と光ファイバ心線の収納作業効率の向上を両立させる光ケーブル接続用クロージャの実現が課題となる。
【００１０】
本発明は、上記課題を解決すべくなされたものであり、小型化と、光ファイバ心線の取り扱い作業の効率向上を実現できる光ケーブル接続用クロージャ及びその使用方法及び心線余長収納体を提供することを目的とする。
【課題を解決するための手段】
【００１１】
上記の課題を解決するための本発明の請求項１に係る心線余長収納体は、光ファイバ心線の余長を収納する心線余長収納体であって、前記光ファイバ心線の接続部を収納する心線接続部収納手段を備え、面状であり、且つ変形可能に形成されることを特徴とする。
【００１２】
本発明の請求項２に係る心線余長収納体は、光ファイバ心線の余長を収納する心線余長収納体であって、線状又は面状であり、且つ変形可能に形成されることを特徴とする。
【００１３】
本発明の請求項３に係る心線余長収納体は、請求項１又は請求項２記載の心線余長収納体であって、予め立体形状を記憶させた形状記憶部材からなることを特徴とする。
【００１４】
本発明の請求項４に係る心線余長収納体は、請求項１又は請求項３記載の心線接続部収納手段を備えた心線余長収納体であって、前記接続部収納手段として、前記光ファイバ心線の接続部が間に挟持固定されるリブを備えたことを特徴とする。
【００１５】
本発明の請求項５に係る心線余長収納体は、請求項１乃至請求項４のいずれかに記載の面状の心線余長収納体であって、長円状に配置され、一端が固定されて他端が変形可能に形成され、各々前記光ファイバ心線を係止可能である複数の心線押え片を備え、前記光ファイバ心線の余長を楕円状に収納することを特徴とする。
【００１６】
本発明の請求項６に係る心線余長収納体は、請求項３記載の線状の心線余長収納体であって、前記光ファイバ心線を内部へ挿入できるチューブ形状であり、予め前記立体形状である螺旋形状を記憶させた形状記憶部材からなることを特徴とする。
【００１７】
本発明の請求項７に係る光ケーブル接続用クロージャは、請求項１乃至請求項６のいずれかに記載の心線余長収納体と、前記心線余長収納体を収容するクロージャ筐体とを有する光ケーブル接続用クロージャであって、前記心線余長収納体又は前記クロージャ筐体が前記心線接続部収納手段を具備し、前記クロージャ筐体が、前記光ファイバ心線の余長を収納して前記立体形状に変形させた前記心線余長収納体を収容することを特徴とする。
【００１８】
本発明の請求項８に係る光ケーブル接続用クロージャの使用方法は、請求項５記載の心線余長収納体と、前記心線余長収納体を収容するクロージャ筐体とを有し、前記心線余長収納体又は前記クロージャ筐体が前記心線接続部収納手段を具備し、前記クロージャ筐体が、前記光ファイバ心線の余長を収納して前記立体形状に変形した前記心線余長収納体を収容する光ケーブル接続用クロージャを使用する方法であって、前記心線押え片の前記他端を変形させて下方に前記光ファイバ心線を挿入し、前記心線余長収納部の本体と前記心線押え片とにより前記光ファイバ心線を挟むことで前記心線余長収納部に楕円状に前記光ファイバ心線を係止した後、巻く、折り曲げる又は予め記憶させた形状に変化させることで前記立体形状に変形させた前記心線余長収納体を、前記クロージャ筐体に収容することを特徴とする。
【００１９】
本発明の請求項９に係る光ケーブル接続用クロージャの使用方法は、請求項６記載の心線余長収納体と、前記心線余長収納体を収容するクロージャ筐体とを有し、前記クロージャ筐体が、前記心線接続部収納手段を具備し、前記光ファイバ心線の余長を収納して前記立体形状に変形した前記心線余長収納体を収容する光ケーブル接続用クロージャを使用する方法であって、前記心線余長収納体に前記光ファイバ心線の余長を通線した後、予め記憶させた前記立体形状に変形させた前記心線余長収納体を、前記クロージャ筐体に収容することを特徴とする。
【発明の効果】
【００２０】
上述した本発明に係る光ケーブル接続用クロージャ及びその使用方法によれば、心線収納部品である心線余長収納体について、形状を変更可能な構成とすることで、光ファイバ心線の収納作業効率向上とクロージャ小型化の両方を実現できる。更に、形状記憶部材を心線収納部品へ使用すれば、収納部品の小型化に対する作業効率がより向上し、作業者によらず一定のサイズに小型化することが可能となり好適である。
【発明を実施するための最良の形態】
【００２１】
以下、本発明を実施の形態を説明する。本実施形態は、光ケーブルの分岐、引込み、接続等を行う光ケーブル接続用クロージャに関する技術であって、クロージャ筐体内に格納される心線余長収納体が、収納した光ファイバ心線の余長を直線的（一次元的）に収納又は平面的（二次元的）に巻回でき、光ファイバ心線の余長を直線的（一次元的）に収納又は平面的（二次元的）に巻回した状態で、更に立体的（三次元的）に形状を変形できるものである。
【００２２】
これにより、光ファイバ心線の余長を収納し、立体的（三次元的）な形状に変形した心線余長収納体を、クロージャ筐体内の任意の場所・態様に配設・格納できるため、光ケーブル接続用クロージャの小型化が可能となる。
【実施例１】
【００２３】
本発明の第一の実施例を図１、図２に基づいて詳細に説明する。
図１及び図２に示す心線余長収納体としての心線余長収納シート２は、樹脂を材質とした弾性体であり、手で容易に変形することができるシート状（面状）となっている。そして、図１（ａ）に示すようにシート本体２０は長円形状に形成され、このシート本体２０に複数個（本実施例では８個）の心線押え片２１と、心線接続部収納手段としてのリブ２２，２３とが設けられている。
【００２４】
心線押え片２１は、シート本体２０外周縁から一定間隔をおいて配置されて、光ファイバ心線の余長（以下、心線余長）５を心線余長収納シート２に楕円の形で収納する構成となっている。なお、本実施例においては、ホーリー光ファイバを使用するため、円周部の曲率半径（図１中に示したｒ1）は、５ｍｍ程度まで小さくできるが、一定の大きさがある方が収納しやすいため、例えば円周部の曲率半径を２０ｍｍ程度とする。
【００２５】
詳しくは、心線押え片２１は、シート本体２０に例えばＵ字形の切込みを入れることにより形成される等、シート本体２０に対して一端が固定され、他端が弾性的に変形させることが可能な構造となっている。これにより、心線押え片２１の端部を持ち上げ、心線押さえ片２１の下方に心線余長５を挿入し、シート本体２０と心線押え片２１とで心線余長５を挟むことで、心線余長収納シート２に心線余長５を係止させることができる。
【００２６】
リブ２２，２３は、シート本体２０の長手方向に沿って、シート本体２０の外周縁と、心線押え片２１との間に設けられている。リブ２２，２３間には、光ファイバ心線の接続部（図示せず）が挟持固定される。この心線接続部には、融着補強スリーブやメカニカルスプライス部材を挟持固定する。これらの部材の長さは５０ｍｍ程度である。なお、シート本体２０の中心側に配置されたリブ２３は、光ファイバ心線が心線接続部と心線押さえ片２１に係止される収納部とを円滑に連通できるよう、連通部２４が設けられている。
【００２７】
クロージャを使用する際は、まず、心線余長収納シート２を広げた状態で、心線余長５を心線押え片２１に係止させることにより、心線余長５の収納を行う。心線余長５収納後、図１（ｂ）に示すように心線余長収納シート２を巻いて立体形状へ変形させる。これにより、心線余長収納シート２が小型化される。
【００２８】
なお、上述したように、巻くことによって心線余長収納シート２を立体形状へ変形させる場合、変形後の心線余長収納シート２は円筒形状となるため、心線余長収納シート２に収納された心線余長５も湾曲することとなる。従って、心線余長収納シート２は、光ファイバ心線の曲げ半径が５ｍｍ以下にならないように、シートの材質、硬さ、厚さを設計している。また、リブ２２，２３の間に挟持固定される心線接続部は曲げることができないため、心線接続部を曲げない方向、例えば図１に示す心線余長収納シート２では、巾方向に向かって巻くものとする。
【００２９】
そして、図２に示すように、立体形状へ変形させた心線余長収納シート２をクロージャ筐体へ収容する。各心線余長収納シート２は並べて収納され、各々クロージャ筐体１内で固定される。このように、心線余長収納シート２を立体形状へ変化させ、表面積を小さくした状態でクロージャ筐体１に収容するため、クロージャ筐体１の小型化が可能となる。例えば、図９に示し上述した従来のクロージャ筐体０１と比べると、奥行きに対する小型化の効果が大きい。
【００３０】
次に、心線余長収納シートの他の例を図３、図４に基づいて説明する。
図３（ａ）に示すように、心線余長収納シート１０２は、図１（ａ）に示した心線余長収納シート２と比較して、巾方向を広くすると共に、リブ２２，２３をシート本体２０外縁と、心線押え片２１との間に巾方向に沿って設けたものであり、リブ２２，２３の間に挟持固定される心線接続部の設置箇所が異なる構成となっている。以下、図１及び図２と同一部分には同一符号を用いて説明は省略し、異なるところを中心に説明する。
【００３１】
クロージャを使用する際は、まず、心線余長収納シート１０２を広げた状態で、心線余長（図示省略）を心線押え片２１に係止させることにより、心線余長の収納を行う。心線余長収納後、図３（ｂ）に示すように、心線余長収納シート１０２をリブ２２，２３の間に挟持固定される心線接続部を曲げないように長手方向に巻き、立体形状へ変形させる。これにより、心線余長収納シート１０２が小型化される。
【００３２】
そして、図４に示すように立体形状へ変形させた心線余長収納シート１０２をクロージャ筐体１へ収納する。このような構成とすることで、上述した図１及び図２に示す構成と同様に光ケーブル接続用クロージャの小型化が可能となる。
【００３３】
以下に、心線余長収納シートを折り曲げる例を図５、図６に基づいて説明する。
図５に示す心線余長収納シート２０２は、図１に示し上述において説明した心線余長収納シート２と同様の構造を有するものとし、同一部分には同一符号を用いて説明は省略し、異なるところを中心に説明する。
【００３４】
図５（ａ）に示すように、心線余長収納シート２０２にはリブ２２，２３がシート本体２０の長手方向に沿って設けられている。このような心線余長収納シート２０２は、リブ２２，２３の間に挟持固定される心線接続部を曲げないため、図５（ｂ）に示すように、長手方向に沿って折り曲げられる。心線余長収納シート２０２は、折り曲げた状態で屈曲部の曲げ半径（図５に示すｒ2）が５ｍｍ以下とならないように、シートの材質と硬さを設計している。
【００３５】
また、心線余長収納シートを折り曲げる例としては、図５のみならず、図６に示すように折り曲げ回数を増やすこともできる。この場合、リブは、心線余長収納シート３０２を折り曲げることによってリブの間に挟持固定される心線接続部を曲げることがないように、例えば図２に示した心線余長収納シート１０２と同様に巾方向に沿って配置するなど、心線余長シート３０２の折り曲げに影響しない位置に設けるものとする。
【００３６】
以上に示したように、本実施例においては、心線余長収納シート２（又は１０２，２０２，３０２）を、変形可能かつ心線余長を収納しやすい大きさとし、心線余長を収納した後に変形させ、小型化した状態でクロージャ筐体１へ収容する構成としたため、小型化しながらも心線余長を収納しやすい光ケーブル接続用クロージャを提供することが可能となった。
【実施例２】
【００３７】
本発明の第二の実施例を図７に基づいて説明する。
図７に示すように、心線余長収納体としての心線余長収納シート４０２は、手で容易に変形することができる、樹脂を材質としたシート状の弾性体であり、長円形状に形成されたシート本体２０に複数個（本実施例では８個）の心線押え片２１が設けられている。すなわち、本実施例に係る心線余長収納シート４０２は、上述した実施例１における心線余長収納シート２と比べてリブを設けない構成としたものである。
【００３８】
心線押え片２１は、シート本体２０外周縁から一定間隔をおいて配置されて、心線余長を心線余長収納シート４０２に楕円の形で収納する構成となっている。ホーリー光ファイバを使用するため、円周部の曲率半径は、５ｍｍ程度まで小さくできるが、一定の大きさがある方が収納しやすいため、例えば円周部の曲率半径を２０ｍｍ程度とする。
【００３９】
詳しくは、心線押え片２１は、シート本体２０に例えばＵ字形の切込みを入れることにより形成される等、シート本体２０に対して一端が固定され、他端が弾性的に変形させることが可能な構造となっている。これにより、心線押え片２１の端部を持ち上げ、心線押さえ片２１の下方に心線余長を挿入し、シート本体２０と心線押え片２１とで心線余長を挟むことで、心線余長収納シート４０２に心線余長を係止させることができる。
【００４０】
クロージャを使用する際は、まず、心線余長収納シート４０２を広げた状態で、心線余長を心線押え片２１に係止させることにより、心線余長の収納を行う。その後、心線余長収納シート４０２を巻く、又は折り曲げることによって立体形状へ変形させる。これにより、心線余長収納シート４０２が小型化される。そして、立体形状へ変形させた心線余長収納シート４０２をクロージャ筐体へ収納する。
【００４１】
なお、本実施例においては、心線余長収納シート４０２は余長を収納する機能のみを有し、光ファイバ心線の接続部を挟持固定しない構成となっているため、心線接続部収納手段としての心線接続部の収納場所はクロージャ筐体に設けるものとする。
【００４２】
以上に説明したように、本実施例によれば、光ケーブル接続用クロージャを、クロージャ筐体内に、心線余長収納シート４０２が収納されるスペースとは別に、光ファイバ心線接続収納部を設け、心線余長収納シート４０２には心線接続部を設けない構成としたため、上述した実施例１と比較して、心線余長収納後に心線余長収納シート４０２を立体形状に変形する際、曲げ半径の確保以外に規制がなく、形状変更に対する自由度が増す。
【実施例３】
【００４３】
本発明の第三の実施例について詳細に説明する。本実施例に係る心線余長収納シートは、上述した実施例１及び実施例２において説明した心線余長収納シートと同様の構造とし、且つ材質を形状記憶部材とするものである。すなわち、予め心線余長収納シートに所望の形状、例えば図１（ｂ）、図３（ｂ）、図５（ｂ）又は図６に示したような形状を記憶させておく。
【００４４】
本実施例において心線余長収納シートをクロージャに収容する際には、予め所望の形状を記憶させた心線余長収納シートに、心線押え片を変形させ、該心線押さえ片と、シート本体とで心線余長を挟むことで、心線余長を係止、収納する。そして、熱を加える等により心線余長収納シートを所望の形状に変形させ、変形して小型化された心線余長収納シートをクロージャ筐体へ収容する。このようにして、心線余長収納シートの形状変更を手で行わずに、熱等を加えることにより形状を変更し、形状を変更した心線余長収納シートをクロージャ筐体に収容する。
【００４５】
上述した本実施例によれば、心線余長収納シートの材質を形状記憶部材とすることで、作業者によらず、心線余長収納シートを立体形状に変形させることができるため、均一なサイズに変形させることができる。そして、立体形状が均一となることで、よりクロージャ筐体へ心線余長収納シートを収納しやすくなる。
【実施例４】
【００４６】
本発明の第四の実施例を図８に基づいて説明する。本実施例に係る光ケーブル接続用クロージャは、心線余長収納体として、図８（ａ）に示すような心線余長収納チューブ５０２を用いるものである。心線余長収納チューブ５０２は、中心に光ファイバ心線を通線できる穴を有する管状の部材であり直線形状となっている。材質は形状記憶部材であり、予め螺旋形状となるように形状を記憶させておく。
【００４７】
本実施例における光ケーブル接続用クロージャを用いる場合には、心線余長収納チューブ５０２に心線余長を通線した後、熱を加える等により、図８（ｂ）に示す、予め記憶させた螺旋形状へ変形させる。そして、螺旋形状に変形した心線余長収納チューブ５０２をクロージャ筐体（図示省略）に収容する。なお、図８（ｂ）は図８（ａ）に示した心線余長収納チューブの変形例を誇張して示している。
【００４８】
本実施例によれば、直線形状である心線余長収納チューブ５０２に心線余長を通線し、熱を加える等により容易に螺旋形状に変形させ、心線余長収納チューブ５０２を小型化することができるため、心線収納の作業効率が大幅に向上する。なお、本実施例においては、光ファイバ心線の接続部を収納する心線接続部収納手段はクロージャ筐体内に設けるものとする。
【産業上の利用可能性】
【００４９】
本発明は、光ケーブルの分岐、引込み、接続等を行う光ケーブル接続用クロージャ及びその使用方法及び心線余長収納体に利用可能である。
【図面の簡単な説明】
【００５０】
【図１】図１（ａ）は本発明の実施例１における心線余長収納シートを模式的に示す上面図、図１（ｂ）は図１（ａ）に示す心線余長収納シートの変形例を模式的に示す上面図である。
【図２】図１に示した心線余長収納シートをクロージャ筐体に収納した状態を模式的に示す斜視図である。
【図３】図３（ａ）は本発明の実施例１における心線余長収納シートの他の例を模式的に示す上面図、図３（ｂ）は図３（ａ）に示す心線余長収納シートの変形例を模式的に示す上面図である。
【図４】図３に示した心線余長収納シートをクロージャ筐体に収納した状態を模式的に示す斜視図である。
【図５】図５（ａ）は本発明の実施例１における心線余長収納シートの他の例を模式的に示す上面図、図５（ｂ）は図５（ｂ）に示す心線余長収納シートの変形例を模式的に示す側面図である。
【図６】本発明の実施例１における心線余長収納シートの他の変形例を模式的に示す斜視図である。
【図７】本発明の実施例２における心線余長収納シートを模式的に示す上面図である。
【図８】図８（ａ）は本発明の実施例４における心線余長収納チューブを示す模式図、図８（ｂ）は図８（ａ）に示した心線余長収納チューブの変形例を示す模式図である。
【図９】従来の光ケーブル接続用クロージャの例を示す断面模式図である。
【符号の説明】
【００５１】
１  クロージャ筐体
２，１０２，２０２，３０２，４０２  心線余長収納シート（心線余長収納体）
５０２  心線余長収納チューブ（心線余長収納体）
２０  シート本体
２１  心線押え片
２２，２３  リブ
５  光ファイバ心線余長
【図１】
2007218935.tif 000003
【図２】
2007218935.tif 000004
【図３】
2007218935.tif 000005
【図４】
2007218935.tif 000006
【図５】
2007218935.tif 000007
【図６】
2007218935.tif 000008
【図７】
2007218935.tif 000009
【図８】
2007218935.tif 000010
【図９】
2007218935.tif 000011